(57)【要約】【課題】  塗装作業時に塗料が周囲に飛散するのを防止し、作業期間中でも夜間の送電を可能にすると共に、飛散防止ネットは縮小できるので、風による影響を最小限にできる。【解決手段】  送電鉄塔を構成する塔体１に突設したアーム４の近傍にフレーム支持金具１１を設ける。アーム４の先端側にネットフレーム１３を設置し、ネットフレーム１３とフレーム支持金具１１との間に支持索２３Ａ、２３Ｂ、２４Ａ、２４Ｂを張設する。支持索２３Ａ、２３Ｂ、２４Ａ、２４Ｂにアーム４及びネットフレームを囲繞するように飛散防止ネット２２を展開、縮小可能に掛装して作業空間Ａを形成する。【選択図】  図１
2006142135.tif 000002
【特許請求の範囲】
【請求項１】
塔体と、高さ方向に離間して該塔体から左右の横方向に突設した複数のアームとからなり、該アームの先端側に設けた碍子を介して送電線を支持する送電鉄塔を塗装するための送電鉄塔の塗料飛散防止装置であって、前記アームの位置に対応して前記塔体に取着するフレーム支持金具と、作業空間を形成すべく前記アームの先端側に設置するネットフレームと、該ネットフレームとフレーム支持金具との間に張設する支持索と、前記アームを囲繞して作業空間を形成すべく該アームからネットフレームにかけて該支持索に展開可能に掛装する飛散防止ネットとから構成してなる送電鉄塔塗装時の塗料飛散防止装置。
【請求項２】
前記飛散防止ネットにより形成する作業空間は、底面に塗料落下防止シートを敷設してあることを特徴とする請求項１記載の送電鉄塔塗装時の塗料飛散防止装置。
【請求項３】
塔体と、高さ方向に離間して該塔体から左右の横方向に突設した複数のアームとからなり、該各アームの先端側に設けた碍子を介して送電線を支持する送電鉄塔を塗装するための送電鉄塔の塗装工法であって、前記アームの位置に対応して前記塔体にフレーム支持金具を取着する工程と、作業空間を形成すべく前記アームの先端側にネットフレームを設置する工程と、該ネットフレームとフレーム支持金具との間に支持索を張設する工程と、前記アームを囲繞して作業空間を形成すべく、該アームからネットフレームにかけて飛散防止ネットを該支持索に展開可能に掛装する工程と、該飛散防止ネットにより形成した作業空間内で前記アームを塗装する工程とからなる送電鉄塔の塗装工法。
【請求項４】
前記飛散防止ネットを前記支持索に展開可能に掛装して前記作業空間を形成した後、底面に塗料落下防止シートを敷設する工程を行うことを特徴とする請求項３記載の送電鉄塔の塗装工法。
【発明の詳細な説明】
【技術分野】
【０００１】
本発明は、塗装が剥げたり発錆した送電鉄塔を再塗装するための送電鉄塔塗装時の塗料飛散防止装置及び送電鉄塔の塗装工法に関する。
【背景技術】
【０００２】
塗装を施して設置した送電鉄塔も、経年により塗膜が剥離して発錆することは避けられず、鋼材の耐久性が損なわれると共に、景観を損なうという問題が生じる。そこで、一定期間毎に或は発錆状態に応じて送電鉄塔には再塗装を行うことが必要であるが、送電鉄塔は設置場所によっては近傍に人家や建屋が存在していることや、高さが７０ｍ程のものもあることから、塗装時に塗料が滴下するのを防止し、また風力によって送電鉄塔の周囲に塗料が飛散する事態を防止する必要がある。
【０００３】
そこで、塗装時における塗料の滴下や飛散の問題を解決する技術として、鉄塔体から横方向に突出するアームの下側に塗料落下防止ネットを配設する簡単な方法が用いられている。また、送電線に対して接近してはいけない距離よりも長い絶縁操作棒と、この絶縁操作棒の先端部に支持され、碍子連の上部に係脱されて、碍子連への塗装材の落下を防止する保護板と、碍子連上部に係合された保護板から塔体にわたってアームの下方に張設される絶縁ネットと、塔体に回転可能に取付けられ、絶縁ネットを巻き取るドラムと、ドラムを回転操作するハンドルとを備える送電鉄塔塗装時における塗装飛散防止装置がある（特許文献１）。
【特許文献１】特開平７−１５５６５６号公報
【発明の開示】
【発明が解決しようとする課題】
【０００４】
ところで、送電鉄塔の塗装作業において問題となることは、大型送電線は電力供給面で非常に重要な路線が多いことから、塗装作業のために全面的に送電を停止することは困難なことである。しかし、従来の塗料落下防止ネットは風の影響を受け易いために塗料の飛散を防止することは出来ないし、送電線との安全距離を確実に確保することが困難であるという欠点がある。また、特許文献１に示す技術は、風の影響を受けない作業空間をアームを囲繞するように形成するものではなく、塗料の飛散を確実に防止することは出来ないことから、塗装作業時には全面的な送電停止をしない限り作業が不可能であるという問題点がある。このため、飛散防止対策が必須の市街地等に設置してある送電鉄塔の塗装は見合わせざるを得ないのが現状である。
【０００５】
本発明は上述した従来技術の諸欠点に鑑みなされたもので、塗装作業時に周囲に塗料が飛散する事態を確実に防止できるし、飛散防止ネットは夜間には縮小できるから、塗装作業の期間中でも夜間は送電が可能であるので生活や産業活動への影響を最小限にできると共に、風による影響を最小限にできる送電鉄塔塗装時の塗料飛散防止装置及び送電鉄塔の塗装工法を提供することを目的とする。
【課題を解決するための手段】
【０００６】
上述した課題を解決するために構成された請求項１に係る本発明の手段は、塔体と、高さ方向に離間して該塔体から左右の横方向に突設したアームとからなり、該アームの先端側に設けた碍子を介して送電線を支持する送電鉄塔を塗装するための送電鉄塔の塗料飛散防止装置であって、前記アームの位置に対応して前記塔体に取着するフレーム支持金具と、作業空間を形成すべく前記アームの先端側に設置するネットフレームと、該ネットフレームとフレーム支持金具との間に張設する支持索と、前記アームを囲繞して作業空間を形成すべくアームからネットフレームにかけて該支持索に展開可能に掛装する飛散防止ネットとからなる。
【０００７】
そして、前記飛散防止ネットにより形成する作業空間には、底面に塗料落下防止シートを敷設するとよい。
【０００８】
また、請求項３に係る本発明を構成する手段は、塔体と、高さ方向に離間して該塔体から左右の横方向に突設した複数のアームとからなり、該各アームの先端側に設けた碍子を介して送電線を支持する送電鉄塔を塗装するための送電鉄塔の塗装工法であって、前記アームの位置に対応して前記塔体にフレーム支持金具を取着する工程と、作業空間を形成すべく前記アームの先端側にネットフレームを設置する工程と、該ネットフレームとフレーム支持金具との間に支持索を張設する工程と、前記アームを囲繞して作業空間を形成すべく、アームからネットフレームにかけて飛散防止ネットを該支持索に展開可能に掛装する工程と、該飛散防止ネットにより形成し作業空間内で前記アームを塗装する工程とからなる。
【０００９】
そして、前記飛散防止ネットを前記支持索に展開可能に掛装して前記作業空間を形成した後、底面に塗料落下防止シートを敷設する工程を行うとよい。
【発明の効果】
【００１０】
本発明は上述の如く構成したから、下記の諸効果を奏する。
（１）アームの先端側にネットフレームを設置し、アームからネットフレームにかけて飛散防止ネットを展設して作業空間を形成するようにしたから、強風時にも塗装作業を安全に行うことができるし、塗料が周囲に飛散する事態を確実に防止することができる。
（２）送電線に対して安全距離を保持するアームからネットフレームに飛散防止ネットを展設したから、飛散防止ネットに影響されることなく夜間には送電することが可能である。
（３）飛散防止ネットは支持索に展開、縮小可能に設けてあるから、作業開始時と終了時におけるネットの開閉が簡単であるし、作業中の天候の急変にも速やかに対応することができる。
（４）ネットフレームと塔体との間に張設する支持索はネットを展開可能に支持するだけでなく、ネットフレームの揺動を抑制するので安全性に優れている。
（５）飛散防止ネットは作業終了後の夜間には縮小して風による影響を受けないようにしたから、飛散防止ネットが騒音源になることがないし、風圧によりネットが裂開するといった事故がない。
（６）作業空間の下側である飛散防止ネットの底面に塗料落下防止シートを敷設したから、塗料が落下する事態を確実に防止することができる。
【発明を実施するための最良の形態】
【００１１】
以下、本発明の実施の形態を図面に基づき詳述する。図において、１は既設の送電鉄塔を構成する塔体を示し、該塔体１は４本の支柱２、２、・・に連結材３、３、・・・を架設して組み上げてある。４、４、・・は高さ方向に離間して、前記塔体１の両側から横方向に略水平に突設した各一対のアームを示し、該各アーム４は塔体１から水平方向に突出し、先端側を当接した一対の主アーム材４Ａ、４Ａと、一対の主アーム材４Ａ、４Ａの先端に向けて塔体１から斜めに張設した傾斜アーム材４Ｂ、４Ｂと、該傾斜アーム材４Ｂと主アーム材４Ａとの間に連結した補強材４Ｃ、４Ｃ、・・・とから構成してある。５、５は上端を各アーム４に連結することにより略Ｖ字状に吊設した一対の碍子連で、該一対の碍子連５、５の下端に設けた線保持具６に送電線を掛架するようにしてある。なお、塔体１の外側には、作業員が昇降する際の安全を確保するためのエスコートレール７が設けてある（図２及び図３参照）。
【００１２】
１１は前記アーム４の近傍に位置して塔体１の各支柱２に、外側横方向に向けて突設したフレーム支持金具を示す。該フレーム支持金具１１は塔体１の支柱２に固着する略Ｌ字状の取付基板１１Ａと、該取付基板１１Ａに突設され、エスコートレール７との干渉を避けるために途中をく字状に屈曲した固定基材１１Ｂと、該固定基材１１Ｂの先端側に着脱可能に連結した支持材１１Ｃと、該支持材１１Ｃの上下面及び両側面に配設され、後述する上下支持索２３Ａ（２４Ａ）、２３Ｂ（２４Ｂ）を係脱自在に係着するための複数個の係止環１１Ｄ、１１Ｄ、・・・とから構成してある。そして、フレーム支持金具１１は、固定基材１１Ｂの下方に位置して基端を支柱２に固着し、先端を支持材１１Ｃの先端側に連結する補強支持具１２によって下方から支持してある。
【００１３】
１３はアーム４に作業空間Ａを形成すべくアーム４に設置したネットフレームを示す。該ネットフレーム１３は鋼材を連結して立方体状に構成したもので、主アーム材４Ａ、４Ａに締結具１４により交差状態に取付けた前後一対の水平支持材１５、１５と、上下、前後及び内側の５本の側枠材１６Ａ、１６Ａ、１６Ｂ、１６Ｂ、１６Ｃにより四角形に連結した一対の側枠１６、１６と、該一対の側枠１６、１６を前側上、下で連結する一対の前支持材１７、１７と、該前支持材１７、１７を中央で連結する縦連結材１８と、一対の側枠１６、１６を後側上部で連結する後支持材１９と、前支持材１７の中央と側枠材１６Ａの後端側に架設した一対の腹材２０、２０と、後支持材１９から斜め後方に突設され、傾斜アーム材４Ｂに連結した後部連結材２１、２１とから構成してある。
【００１４】
２２は塗装時に塗料が飛散するのを防止するための飛散防止ネットを示す。該飛散防止ネット２２はアーム４及びネットフレーム１３の側面から下面中央にかけて略Ｌ字状に覆うと共にネットフレーム１３の前面を覆う一側ネット構成体２２Ａと他側ネット構成体２２Ｂの２面で構成し、碍子連５、５を避けた構成にしてある。そして、該一側ネット構成体２２Ａ及び他側ネット構成体２２Ｂには、風圧を低減しかつ塗料の飛散を防止できるように空気遮断率が約６０％のものを用いると共に、後述する支持索２３Ａ、２４Ａを摺動可能に挿通するためのハト目が上側縁に沿って設けてあり、 下側縁に沿って後述する係合環２５を係合するためのハト目が設けてある。
【００１５】
２３は一側ネット構成体２２Ａを展開、縮小するための一側ネット展開機構を示し、該一側ネット展開機構２３は塔体１に突設した上側のフレーム支持金具１１とネットフレーム１３の前側上端隅の間に張設した上支持索２３Ａと、該上支持索２３Ａに対応して、下側のフレーム支持金具１１とネットフレーム１３の前側下端の間に張設した下支持索２３Ｂと、ネットフレーム１３の前側上端隅及び前側下端隅に夫々設けた滑車２３Ｃ、２３Ｃと、該各滑車２３Ｃに係合され、途中位置で前記一側ネット構成体２２Ａの先端に連結した開閉用紐２３Ｄとから構成してある。
【００１６】
また、２４は他側ネット構成体２２Ｂを展開、縮小するための他側ネット展開機構を示し、該他側ネット展開機構２４は一側ネット展開機構２３と同様に、上側のフレーム支持金具１１とネットフレーム１３の前側上端隅の間に張設した上支持索２４Ａと、該上支持索２４Ａに対応して、下側のフレーム支持金具１１とネットフレーム１３の前側下端隅の間に張設した下支持索２４Ｂと、ネットフレーム１３の前側上端隅及び前側下端隅に夫々設けた滑車２４Ｃ、２４Ｃと、該各滑車２４Ｃに係合され、途中位置で前記他側ネット構成体２２Ｂの先端に連結した開閉用紐２４Ｄとから構成してある。
【００１７】
かくして、飛散防止ネット２２を構成する一対の一側ネット構成体２２Ａ及び他側ネット構成体２２Ｂは、左右の上支持索２３Ａ（２４Ａ）に進退可能に吊り下げられており、下支持索２３Ｂ（２４Ｂ）で内側横方向に折り曲げ、両先端側を複数個の係合環２５、２５、・・・で連結することにより、飛散防止ネット２２はアーム４を包むように略凵字状に掛装する。そして、開閉用紐２３Ｄ、２４Ｄを操作し、飛散防止ネット２２を図７及び図８に示すようにカーテンを閉めるように矢示イ方向に展開することにより、アーム４及びネットフレーム１３を囲繞して作業空間Ａを形成する。２６は形成した作業空間Ａの底面に敷設した塗料落下防止シートで、一対のネット構成体２２Ａ、２２Ｂの隙間を覆うことにより、塗料の落下を確実に防止することができる。上述の構成において、左右の上、下支持索２３Ａ（２４Ａ）、２３Ｂ（２４Ｂ）は、ネットフレーム１３が風圧により揺動するのを抑制する働きも有しており、強度性と安全性を図っている。
【００１８】
本実施の形態による塗料飛散防止装置は上述の構成からなるが、次に送電鉄塔に設置する工程について説明する。先ず、塔体１に設けてあるアーム４の四隅に対応して塔体１の支柱２に４個のフレーム支持金具１１、１１、・・を取着する。このフレーム支持金具１１の取着工程とは別個に、アーム４の先端側にネットフレーム１３を設置する。ネットフレーム１３の設置作業を図４を参照しつつ説明すると、先ず主アーム材４Ａの先端寄りの位置に２本の水平支持材１５、１５を締結具１４、１４、・・で強固に取着する。この２本の水平支持材１５、１５に両側の側枠１６、１６を接続し、この側枠１６、１６間に前支持材１７、１７及び後支持材１９を接続し、下側の前支持材１７と側枠１６、１６に一対の腹材２０、２０を斜めに架設し、後支持材１９から突設した後部連結材２１、２１を傾斜アーム材４Ｂに連結する。かくして、ネットフレーム１３はアーム４の先端側に安定性と安全性に優れた状態で設置される。
【００１９】
ネットフレーム１３をアーム４に設置したら、各ネット構成体２２Ａ、２２Ｂの上縁に設けたハト目に挿通した上側の支持索２３Ａ、２４Ａを各フレーム支持金具１１とネットフレーム１３との間に張設し、また下側の支持索２３Ｂ、２４Ｂを各フレーム支持とネットフレーム１３との間に張設する。これにより、ネット構成体２２Ａ、２２Ｂは支持索２３Ａ、２４Ａに掛装した状態になる。そして、ネット構成体２２Ａ、２２Ｂの下部側をアーム４の下方に折り、突き合わせた先端側を係合環２５、２５、・・・で連結する（図１０参照）。最後に、ネット構成体２２Ａ、２２Ｂによって形成される作業空間Ａの底面に塗料落下防止シート２６を敷設する（図８及び図１０参照）。
【００２０】
塗料飛散防止装置は上述の工程によってアーム４に設置されるものであり、開閉用紐２３Ｄ、２４Ｄを操作してネット構成体２２Ａ、２２Ｂを前方に展開することにより、アーム４を囲繞した状態で作業空間Ａを形成する（図１０参照）。逆に、非作業時には、塗料落下防止シート２６を撤去し、左右のネット構成体２２Ａ、２２Ｂの下側縁を係止している係合環２５を外し、下部側を図１０に破線で示すように垂らした状態にした上で、ネット構成体２２Ａ、２２Ｂを矢示ロ方向の後方に引いて縮小させ（図６及び図７参照）、紐等で結束する。これにより、飛散防止ネット２２が風に煽られて送電線に接触したり、騒音源になるのを防止すると共に、風圧により飛散防止ネット２２が裂開する事態も防止できる。
【００２１】
本実施の工程によれば、アーム４の先端側にネットフレーム１３を設置し、塔体１側とネットフレーム１３との間に支持索２３Ａ、２３Ｂ、２４Ａ、２４Ｂを張設する作業だけで飛散防止ネット２２を設けることができるので、設置作業が容易であるし、安全性に優れている。
【図面の簡単な説明】
【００２２】
【図１】本発明の実施の形態に係る塗料飛散防止装置を送電鉄塔に設置した状態を示す説明図である。
【図２】フレーム支持金具の平面図である。
【図３】フレーム支持金具の側面図である。
【図４】アームに設置したネットフレームの斜視図である。
【図５】アームに設置したネットフレームの側面図である。
【図６】アームにネットフレームを設置した状態の平面図である。
【図７】アームにネットフレームを設置した状態の側面図である。
【図８】飛散防止ネットを支持索に掛装した状態の説明図である。
【図９】飛散防止ネットを展開した状態の説明図である。
【図１０】図９中のＸ−Ｘの位置で切断して示す拡大端面図である。
【符号の説明】
【００２３】
１              塔体
４              アーム
５              碍子
１１            フレーム支持金具
１３            ネットフレーム
２２            飛散防止ネット
２３、２４      ネット展開機構
２３Ａ、２４Ａ  上支持索
２３Ｂ、２４Ｂ  下支持索
２６            塗料落下防止シート
Ａ              作業空間
【図１】
2006142135.tif 000003
【図２】
2006142135.tif 000004
【図３】
2006142135.tif 000005
【図４】
2006142135.tif 000006
【図５】
2006142135.tif 000007
【図６】
2006142135.tif 000008
【図７】
2006142135.tif 000009
【図８】
2006142135.tif 000010
【図９】
2006142135.tif 000011
【図１０】
2006142135.tif 000012